(57)【要約】【課題】完全後付けでき、しかも、ラインに傷つくことがなく、且つ釣具の組付け作業が楽で、また、一旦組み付けられれば釣具が脱落し難く、さらに釣糸の太さに関係なく汎用釣具を着脱自在に交換できる釣具用固定軸材及び釣具付き釣具用固定軸材を提供する。【解決手段】軸状体にして、細くて長い軸状小径軸部2と、該小径軸部2から拡径部3を介して又はそのまま延設され、該小径軸部2の軸外径d２よりも軸外径d４が大きな大径部4と、を具備し、且つ少なくとも該大径部4が弾性変形材料で造られ、釣具6に設けられた通孔60の一端口60aへ前記小径軸部2側から挿入し、該通孔60の他端口60bから突き出す小径軸部2の先端部分21を引っ張ることにより、前記大径部4を弾性変形させその軸外径d４を小さくして通孔60内に導くと共に弾性復元力で該大径部4を該通孔60の孔壁61に密着一体化させるようにした。【選択図】図１
2012170384.tif 000002
【特許請求の範囲】
【請求項１】
軸状体にして、細くて長い軸状小径軸部(２)と、該小径軸部(２)から拡径部(３)を介して又はそのまま延設され、該小径軸部(２)の軸外径(ｄ２)よりも軸外径(ｄ４)が大きな大径部(４)と、を具備し、且つ少なくとも該大径部(４)が弾性変形材料で造られ、
釣具(６)に設けられた通孔(６０)の一端口（６０ａ)へ前記小径軸部(２)側から挿入し、該通孔(６０)の他端口(６０ｂ)から突き出す小径軸部(２)の先端部分(２１)を引っ張ることにより、前記大径部(４)を弾性変形させその軸外径(ｄ４)を小さくして通孔(６０)内に導くと共に弾性復元力で該大径部(４)を該通孔(６０)の孔壁(６１)に密着一体化させるようにしたことを特徴とする釣具用固定軸材。
【請求項２】
前記小径軸部(２)と、該小径軸部(２)から拡径部(３)を介して又はそのまま延設される前記大径部(４)と、を具備し、且つこれらが全て一の均質な弾性変形材料で造られてなる請求項１記載の釣具用固定軸材。
【請求項３】
本体主部(６Ｍ)に通孔(６０)を形成し、且つ該本体主部(６Ｍ)の外周面(６３)から該通孔（６０)に達する割り溝(６２）が設けられた釣具(６)と、
軸状体にして、前記通孔(６０)の孔径(Ｄ)よりも外径(ｄ２)が小さく且つ該通孔(６０)の孔長(Ｌ６)よりも軸長(Ｌ２)が長い細長の軸状小径軸部(２)を形成し、さらに該小径軸部(２)に該通孔(６０)の孔径(Ｄ)よりも外径(ｄ４）が大きな大径部（４)が拡径部(３)を介して又はそのまま延設されてなる釣具用固定軸材(１)と、を具備し、且つ少なくとも該大径部(４)が弾性変形材料で造られ、
前記通孔(６０)の一端口(６０ａ)へ前記小径軸部(２)側から挿入して該通孔（６０)の他端口(６０ｂ)から突き出す小径軸部(２)の先端部分(２１)を引っ張ることにより、前記大径部(４)を弾性変形させその軸外径(ｄ４)を小さくして通孔(６０)内に導くと共に弾性復元力で該大径部(４)を該通孔（６０)の孔壁(６１)に密着一体化させることを特徴とする釣具付き釣具用固定軸材。
【請求項４】
前記小径軸部(２)と、該小径軸部(２)から拡径部(３)を介して又はそのまま延設される前記大径部(４)と、を具備し、且つこれらが全て一の均質な弾性変形材料で造られてなる請求項３記載の釣具付き釣具用固定軸材。
【発明の詳細な説明】
【技術分野】
【０００１】
本発明は、ウキやオモリ等の釣具を、固定ウキや固定オモリ等にするのに用いられる釣具用固定軸材及び釣具付き釣具用固定軸材に関する。
【背景技術】
【０００２】
ウキには遊動ウキ(移動ウキともいう)と釣糸の所定位置に係止固定する固定ウキがある。一方、オモリは釣糸の所定位置に係止固定されるのが一般的である。オモリやウキ等の釣具を釣糸の所定位置に係止固定する場合、従来、例えば釣糸９の糸径よりも大きな通孔６０を有する釣具６たるウキ６ｂに対し、図１４のように樹脂製ヨウジｐｋを差し込んで係止固定する方法があった。ただ、この方法は釣糸９に負担をかけ、時に釣糸９を潰し、ライン(釣糸９の線)を傷つけやすい問題があった。また、釣糸９の径が太くなると係止固定するのが難しくなった。釣糸９の径が太くなると、樹脂製ヨウジｐｋのストッパ機能が落ち、釣具６が外れ落ち易かった。
こうしたことから、ラインに傷がつきにくい釣具の固定方法が提案されている（例えば特許文献１）。
【先行技術文献】
【特許文献】
【０００３】
【特許文献１】特開２０００−１６６４４８号公報（実施形態２、図３、図４）
【発明の開示】
【発明が解決しようとする課題】
【０００４】
しかるに、特許文献１の釣具は、請求の範囲に記載のごとく「金属製の棒状体からなり、その両端に、釣糸に挿通した筒状弾性体を着脱自在に嵌着できる軸部が形成されたことを特徴とする錘兼用ストッパ」であり、以下のような問題があった。ゴム管などの筒状弾性体ｒｂ二つを、図１５のごとく予め釣糸９に挿通しておかねばならなかった。完全後付けできない難点があった。また、両端に設けたツノｓｍの両方にそれぞれ筒状弾性体ｒｂを嵌入固定しなければならず、取付けセットが面倒であった。加えて、錘兼用ストッパたるオモリｗｔはその両サイドに、筒状弾性体を嵌着できる軸状ツノｓｍを設けなければならず、製造コストが上昇した。ツノｓｍを取付け固定した専用品としなければならず、汎用品と形状を異にした。
【０００５】
本発明は、上記問題を解決するもので、完全後付けでき、しかも、ラインに傷つくことがなく、且つ釣具の組付け作業が楽で、また、一旦組み付けられれば釣具が脱落し難く、さらに釣糸の太さに関係なく汎用釣具を着脱自在に交換できる釣具用固定軸材及び釣具付き釣具用固定軸材を提供することを目的とする。
【課題を解決するための手段】
【０００６】
上記目的を達成すべく、請求項１に記載の発明の要旨は、軸状体にして、細くて長い軸状小径軸部(２)と、該小径軸部(２)から拡径部(３)を介して又はそのまま延設され、該小径軸部(２)の軸外径(ｄ２)よりも軸外径(ｄ４)が大きな大径部(４)と、を具備し、且つ少なくとも該大径部(４)が弾性変形材料で造られ、釣具(６)に設けられた通孔(６０)の一端口（６０ａ)へ前記小径軸部(２)側から挿入し、該通孔(６０)の他端口(６０ｂ)から突き出す小径軸部(２)の先端部分(２１)を引っ張ることにより、前記大径部(４)を弾性変形させその軸外径(ｄ４)を小さくして通孔(６０)内に導くと共に弾性復元力で該大径部(４)を該通孔(６０)の孔壁(６１)に密着一体化させるようにしたことを特徴とする釣具用固定軸材にある。請求項２の発明たる釣具用固定軸材は、請求項１で、小径軸部(２)と、該小径軸部(２)から拡径部(３)を介して又はそのまま延設される前記大径部(４)と、を具備し、且つこれらが全て一の均質な弾性変形材料で造られてなることを特徴とする。
請求項３に記載の発明の要旨は、本体主部(６Ｍ)に通孔(６０)を形成し、且つ該本体主部(６Ｍ)の外周面(６３)から該通孔（６０)に達する割り溝(６２）が設けられた釣具(６)と、軸状体にして、前記通孔(６０)の孔径(Ｄ)よりも外径(ｄ２)が小さく且つ該通孔(６０)の孔長(Ｌ６)よりも軸長(Ｌ２)が長い細長の軸状小径軸部(２)を形成し、さらに該小径軸部(２)に該通孔(６０)の孔径(Ｄ)よりも外径(ｄ４）が大きな大径部（４)が拡径部(３)を介して又はそのまま延設されてなる釣具用固定軸材(１)と、を具備し、且つ少なくとも該大径部(４)が弾性変形材料で造られ、前記通孔(６０)の一端口(６０ａ)へ前記小径軸部(２)側から挿入して該通孔（６０)の他端口(６０ｂ)から突き出す小径軸部(２)の先端部分(２１)を引っ張ることにより、前記大径部(４)を弾性変形させその軸外径(ｄ４)を小さくして通孔(６０)内に導くと共に弾性復元力で該大径部(４)を該通孔（６０)の孔壁(６１)に密着一体化させることを特徴とする釣具付き釣具用固定軸材にある。請求項４の発明たる釣具付き釣具用固定軸材は、請求項３で、小径軸部(２)と、該小径軸部(２)から拡径部(３)を介して又はそのまま延設される前記大径部(４)と、を具備し、且つこれらが全て一の均質な弾性変形材料で造られてなることを特徴とする。
【発明の効果】
【０００７】
本発明の釣具用固定軸材及び釣具付き釣具用固定軸材は、釣糸を全く傷つけることがなく、完全後付け可能であり、且つ短時間交換でき、また一旦組み付けられればその釣具が脱落し難い状態で固定され、さらに釣糸の太さに関係なく汎用釣具を着脱自在に交換できるなど多大な効を奏する。
【図面の簡単な説明】
【０００８】
【図１】実施形態１で、(イ)が釣具の斜視図で、(ロ)が釣具用固定軸の斜視図である。
【図２】(イ）が図１(イ)の釣具の平面図で、(ロ)が(イ)のII-II線矢視図である。
【図３】(イ）が図１(ロ)の釣具用固定軸材の正面図、(ロ)が(イ)の平面図、(ハ)が(イ)の底面図である。
【図４】(イ)が通孔の一端口から小径軸部を挿通し、拡径部で係止された説明断面図、(ロ)が(イ)の小径軸部先端部分を引っ張って大径部を通孔内に導いた説明断面図、(ハ)が(ロ)の引張りを解除して大径部を通孔の孔壁に密着一体化させた説明断面図である。
【図５】図４(ハ)の斜視図である。
【図６】図１に代わる他態様の釣具用固定軸材の斜視図である。
【図７】他態様のオモリにした釣具付き釣具用固定軸材の斜視図である。
【図８】他態様のオモリにした釣具付き釣具用固定軸材の斜視図である。
【図９】実施形態２の固定軸と釣糸を通した釣具の斜視図である。
【図１０】(イ）が通孔の一端口へ小径軸部側から挿入し、拡径部がその一端口に係止された説明断面図、(ロ)が(イ)の小径軸部先端部分を引っ張って大径部を通孔内に導いた説明断面図、(ハ)が(ロ)の引張りを解除して大径部を通孔の孔壁に密着一体化させた説明断面図である。
【図１１】ウキで割り溝を通る面での概略縦断面図である。
【図１２】図１１に代わる他態様のウキの縦断面図である。
【図１３】図９のウキに代えて別態様のウキにした釣具付き固定軸材の斜視図である。
【図１４】従来技術の説明斜視図である。
【図１５】従来技術の説明斜視図である。
【発明を実施するための形態】
【０００９】
以下、本発明に係る組合せ釣具について詳述する。
（１）実施形態１
図１〜図８は本発明の釣具用固定軸材及び釣具付き釣具用固定軸材の一形態で、図１は(イ)が釣具の斜視図で、(ロ)が釣具用固定軸の斜視図、図２は(イ）が図１(イ)の釣具の平面図で、(ロ)が(イ)のII-II線矢視図である。図３は(イ）が図１(ロ)の釣具用固定軸材の正面図、(ロ)が(イ)の平面図、(ハ)が(イ)の底面図、図４は(イ)が通孔の一端口から小径軸部を挿通し、拡径部で係止された説明断面図、(ロ)が(イ)の小径軸部先端部分を引っ張って大径部を通孔内に導いた説明断面図、(ハ)が(ロ)の引張りを解除して大径部を通孔の孔壁に密着一体化させた説明断面図、図５は図４(ハ)の斜視図、図６は図１に代わる他態様の釣具用固定軸材の斜視図、図７,図８は図５のオモリに代えて他態様のオモリにした釣具付き釣具用固定軸材の斜視図である。
【００１０】
（１−１）釣具用固定軸材
釣具用固定軸材１(以下、単に「固定軸材」ともいう)は、軸状体にして、小径軸部２と大径部４とを具備する(図１のロ)。小径軸部２から拡径部３を介して又はそのまま延設され、該小径軸部２の軸外径ｄ２よりも軸外径ｄ４が大きな大径部４が設けられる。
小径軸部２は細くて長く、その軸径ｄ２が釣具６に形成された通孔６０の径Ｄよりも小さい。釣具６に形成された通孔６０の一端口６０ａへ固定軸材１の小径軸部２側から挿入すると、通孔６０の他端口６０ｂから該小径軸部２の先端部分２１が突き出す。そして、釣具６に設けられた通孔６０の一端口６０ａから小径軸部２を遊挿し、通孔６０の他端口６０ｂから突き出す小径軸部２の先端部分２１を引っ張ることにより、大径部４を弾性変形させその外径ｄ４を小さくして通孔６０内に導ける構成にある。さらに、通孔６０内に導いた大径部４を弾性復元力で該通孔６０の孔壁６１に密着一体化できるようになっている。釣具用固定軸材は少なくとも該大径部４が弾性変形材料で造られる。該大径部４を弾性変形させて、その外径ｄ４を小さくして釣具６の通孔６０内に導くと共に、弾性復元力で大径部４を通孔６０の孔壁６１に密着一体化させることができる。
本実施形態は、細長の軸状小径軸部２と、該小径軸部２からテーパ部からなる拡径部３を介して延設される大径部４と、を具備し、且つこれらが全て一の均質な中実の弾性変形材料たるゴム材料で造られる固定軸材１とする。
【００１１】
本発明でいう「弾性変形材料」とは、固定軸材１を長手方向に手などで引っ張ることにより弾性変形可能な材料をいい、外力を加えたときその強さに応じて変形が生じ、外力を除去すると元の状態に戻る性質を有する材料である。例えば、天然ゴム,イソプレン系ゴム,ブタジエン系ゴム,オレフィン系ゴム,フッ素系ゴム及びシリコーンゴム等のゴム材料や、ポリスチレン系熱可塑性エラストマー,ポリオレフィン系熱可塑性エラストマー,ポリ塩化ビニル系熱可塑性エラストマー,ポリウレタン系熱可塑性エラストマー等の熱可塑性エラストマーなどが含まれる。さらに、ポリスチレン,ポリプロピレン,ポリ塩化ビニル等の熱可塑性フォームや、ポリウレタン,アクリル樹脂,シリコーン等の熱硬化性フォームのプラスチックフォーム等からなる発泡体であってもよい。ただ、軟らかくて粘り強く、よく伸びる物質で、且つ弾性変形可能なゴム材料や熱可塑性エラストマーが好ましい。合成ゴム,天然ゴム等のゴム(加硫ゴム)や熱可塑性エラストマーが好適である。大径部４を弾性変形させて径を細くして通孔６０内に導くと共に、弾性復元力で孔壁６１に密着一体化させるには、ゴム又は熱可塑性エラストマーが優れ、ゴム(加硫ゴム)が断然優れる。ここでの固定軸材１はＥＰＤＭ(エチレン-プロピレン−ジエンゴム)であるが、ゴムの有する弾性変形可能にして、軟らかくて粘り強く良く伸びる性質が固定軸材１に求められる品質,特性に適合する。粘り強く粘着性を有する性質が、通孔６０の孔壁６１に密着一体化させるのに有効に働く。さらにＥＰＤＭ等の合成ゴムは耐候性,耐オゾン性を有し、高強度の製品が得られるなど固定軸材１に打ってつけの材料になっている。
【００１２】
小径軸部２は横断面円形の細くて長い軸状部である。小径軸部２は軸外径ｄ２が釣具６の通孔６０の孔径Ｄよりも小さくして、釣具６に設けた通孔６０の一端口６０ａへ小径軸部２側から挿入したとき、固定軸材１の基端部位を残しながら、該通孔６０の他端口６０ｂから突き出す軸長Ｌ２を有する(図１,図３)。軸外径の細い小径軸部２が、大径部４から拡径部３を介して(又は大径部４から直接そのまま)動物のしっぽのように長く伸びる。
ここで、磯釣りに使用される釣具６で、通孔６０を形成し、本体主部６Ｍの外周面６３から該通孔６０に達する割り溝６２が設けられたオモリ６ａ(又はウキ６ｂ)等の汎用釣具６にあっては、通孔６０の孔長Ｌ６は高々１〜２cmである(図１,図１０)。また、通孔６０の孔径Ｄは円形で多くの場合、２mmφ前後である(図２,図８)。本実施形態の小径軸部２は２cmよりも長くした軸長Ｌ２で、且つ横断面円形(図３)で軸外径が１.５mmφ程度とする。したがって、固定軸材１の小径軸部２側から釣具６の通孔６０へ挿入すれば、該固定軸材１が弾性変形を伴わずして、その基端部分２２を通孔６０の一端口６０ａに残しながら小径軸部２が通孔６０を貫通し、通孔他端口６０ｂから突き出す姿態が確保される。尚、小径軸部２の軸外径は、横断面形状が円形でなく変形している場合、その横断面形状の最大直径とする。小径軸部２が弾性変形なしに通孔６０を挿通できるようにするためである。
【００１３】
拡径部３は小径軸部２の基端部分２２から小径軸部２よりも軸外径が大きな大径部４につなぐ接続部である(図１,図３)。本実施形態の拡径部３は小径部の軸外径から拡径部３の外径にまで徐々に径が大きくなる円錐台状のテーパ部とする。拡径部３はなくして、小径軸部２から直接大径部４に接続してもよい。ただ、拡径部３が在れば、小径軸部２の先端部分２１を引っ張ることにより、大径部４を弾性変形させてその外径ｄ４を小さくする際、大径部４がスムーズに小さくなりより好ましくなる(図４のロ)。小径軸部２の先端部分２１を引っ張ることにより、大径部４を弾性変形させて通孔６０内に導き易くなる。
【００１４】
大径部４は、小径軸部２の軸外径ｄ２よりも軸外径ｄ４が大きな軸状部である(図１のロ)。本実施形態の大径部４は横断面円形の円柱部とする(図３)。前述のごとく、通孔６０の孔径Ｄは多くの場合、２mmφ前後であることから、大径部４の外径を３mmφ程度とする。そうして、釣具６に設けられた通孔６０の一端口６０ａから小径軸部２を遊挿し、通孔６０の他端口６０ｂから突き出す小径軸部２の先端部分２１を引っ張ることにより、大径部４を弾性変形させてその軸外径ｄ４を小さくして通孔６０内に導き、その導かれた該大径部４を弾性復元力で通孔６０の孔壁６１に密着一体化できるようにしている。
尚、大径部４の軸外径ｄ４は、大径部４の横断面が円形でなく、変形している場合、その横断面形状の最大直径とする。
【００１５】
（１−２）釣具付き釣具用固定軸材
釣具付き釣具用固定軸材は、釣具６と固定軸材１とを備える。
釣具６は魚を釣るための道具で、磯釣り等に用いられるオモリ６ａやウキ６ｂ等の公知品である。本実施形態の釣具６は図１(イ)のようなオモリ６ａに適用し、中通しタイプの釣り用オモリとする。オモリ６ａは、固定軸材１とは別体構成で、本体主部６Ｍに通孔６０を形成し、且つ該本体主部６Ｍの外周面６３から該通孔６０に達する割り溝６２を設ける。
【００１６】
オモリ６ａは、本体主部６Ｍに縦通する孔径Ｄで孔長Ｌ６の通孔６０が形成された本体主部６Ｍの外周面６３から、該通孔６０に達する半径方向の割り溝６２を設けた円筒状錘体である。オモリ６ａは、ステンレス鋼,真鍮等からなる所定重量を有する金属加工品で、平面視形状を、図２(イ)のように割り溝６２の部分を切り欠くＣ字状とする。全体形状が図１のごとくのほぼ厚肉円筒形のオモリ６ａになる。割り溝６２の幅は、釣糸９を孔径Ｄの通孔６０へ誘導して、該釣糸９にオモリ６ａを後付けするためのものであり、釣糸９が通過できる幅があれば足りる。図面は分かり易くすべく該幅を強調して大きく描く。釣りを行う際は、円筒形オモリ６ａの筒長手方向長さを変化させて、重さが異なる数種類の重量のオモリ６ａが、適宜用意される。図１〜図５は数種類のオモリ６ａのうち、一のオモリ６ａを図示したものである。各オモリ６ａは、いずれも円筒形となる筒中央に筒穴たる通孔６０が設けられ、さらに、円筒形外周面６３の周方向一箇所に、外周面６３より通孔６０に至る縦割りの割り溝６２が設けられる。符号６８はオモリ外周面６３に刻んだ滑り止め用環状溝を示す。
【００１７】
固定軸材１は前記（１−１）の固定軸材１をそのまま使用する。オモリ６ａに設けた通孔６０の孔径Ｄよりも外径ｄ２が小さく且つ該通孔６０の孔長Ｌ６よりも軸長Ｌ２が長い細長の軸状小径軸部２を形成する。さらに該小径軸部２に該通孔６０の孔径Ｄよりも外径ｄ４が大きな大径部４が拡径部３を介して又はそのまま延設されてなる固定軸材１とする。少なくとも大径部４が弾性変形材料で造られるが、ここでは全てが中実の弾性変形材料(ゴム材料又は熱可塑性エラストマー)で造られる固定軸材１とする。
【００１８】
そうして、通孔６０の一端口６０ａへ小径軸部２側から挿入すれば通孔６０の他端口６０ｂから小径軸部２が突き出す。そして、該小径軸部２の先端部分２１を引っ張ることにより、大径部４を弾性変形させてその外径ｄ４を小さくして通孔６０内に導くと共に弾性復元力で該大径部４を該通孔６０の孔壁６１に密着一体化させることができる構成にある。
【００１９】
ところで、固定軸材１は図１(ロ)の固定軸に限らず、例えば図６のような他態様品とすることもできる。図６(イ)の固定軸は、図１(ロ)の固定軸に、さらに大径部４の外周面６３からその半径方向へＶ字状の切欠４５を形成する。図３(ロ)のように見た平面視で、大径部４の外周面からＶ字状に切り欠かれた切欠４５が設けられる。大径部４を弾性変形させその軸外径ｄ４を小さくして通孔６０内に導き易くするためである。また、図６(ロ)は、図１(ロ)の固定軸に、さらに小径軸部２とつながる前記大径部４の接続側４１とは反対側の該大径部４の基端側４２からその軸外径よりもさらに軸外径を大きくしたストッパ部５が延設してなる固定軸とする。該ストッパ部５が、前記大径部４を弾性変形させその軸外径ｄ４を小さくして通孔６０内に導く際のすっぽ抜けを防ぐ文字通りのストッパになる。
【００２０】
一方、オモリ６ａは図１(イ)のオモリ６ａに限らず、例えば図７のような他態様品とすることもできる。図７のオモリ６ａは本体主部６Ｍの一部を構成する金属製芯管６Ｍ１に、球状の鉛製本体主部６Ｍを被着固定したものである。オモリ６ａには、本体主部６Ｍ(ここでは芯管６Ｍ１)に、小径軸部２の軸外径ｄ２よりも孔径Ｄを大きくし、且つ大径部４の軸外径ｄ４よりも孔径Ｄを小さくした通孔６０が設けられる。さらにオモリ６ａの外周面６３から通孔６０に達する割り溝６２が設けられる。鉛製本体主部６Ｍ及び芯管６Ｍ１には、図７のごとく、オモリ６ａの外周面６３から通孔６０に達する半径方向の割り溝６２が切り込まれる。
また、オモリ６ａは図８のようなオモリ６ａとすることができる。図８のオモリ６ａは厚肉円筒状のステンレス製本体主部６Ｍにして、その両端部を半球状に丸みをもたせている。オモリ６ａの本体主部６Ｍに、小径軸部２の軸外径ｄ２よりも孔径Ｄを大きくし、且つ大径部４の軸外径ｄ４よりも孔径Ｄが小さな筒穴たる通孔６０が設けられる。さらにオモリ６ａの外周面６３から通孔６０に達する割り溝６２が設けられる。
尚、本発明の固定軸材１は、オモリ６ａに設けた通孔６０の一端口６０ａへ、小径軸部２側から挿入し、該通孔６０の他端口６０ｂから小径軸部２の先端部分２１が突き出せればよく、図７,図８の小径軸部２の軸長Ｌ２は図１〜図６の小径軸部２のものよりも若干短くしている。
【００２１】
次に、図１の固定軸材１とオモリ６ａを用いて、固定軸材及び釣具付き固定軸材の一使用法について説明する。
釣糸９に所望のオモリ６ａを取付けたい場合、まずラインの所定位置で、釣糸９(道糸)を割り溝６２から通孔６０へと誘導し、釣糸９がオモリ６ａの通孔６０を縦通するようにする(図１のイ)。次いで、通孔６０内の釣糸９を、図４(イ)のごとく割り溝６２が在る位置と反対側の孔壁６１へ寄せた状態下、竿側上方地点へ固定軸材１を持っていきその小径軸部２を下側にして、図示のごとくオモリ６ａに係る通孔６０の一端口６０ａへ小径軸部２側から挿入する。小径軸部２の軸外径ｄ２が通孔６０の孔径Ｄよりも小さいので、通孔６０内へ小径軸部２を難なく遊挿できる。固定軸材１は、通孔６０の孔径よりも径が大きい拡径部３の地点で係止されるが、小径軸部２の挿通によって、通孔６０の他端口６０ｂから小径軸部２の先端部分２１が突き出す。図１(イ)の鎖線図示の固定軸材１はこの状態の斜視図を示す。
【００２２】
続いて、前記通孔６０の他端口６０ｂから突き出す小径軸部２の先端部分２１を掴んで、図４(ロ)の白抜き矢印のごとく引っ張る。固定軸材１が弾性変形材料からなるため、同図のごとく通孔６０の一端口６０ａで係止される固定軸材１に係る拡径部３さらに大径部４の部分が、先端部分２１の引っ張りによって、伸長すると同時にその外径を細くして通孔６０内へと引き込まれる。通孔６０の他端口６０ｂから突き出す小径軸部２の先端部分２１を引っ張ることにより、大径部４が弾性変形しその外径ｄ４が小さくなって通孔６０内へと導かれる。
その後、オモリ６ａの一端面６４ａから大径部４の一部しか顔を覗かせないところまで、小径軸部２を引っ張り、そこで、先端部分２１の引張力を解除する。該引張力の解除により、固定軸材１が弾性復元力で元の形状に復元しようとし、大径部４は通孔６０の孔壁６１に密着一体化する(図４のハ)。
かくのごとくして、釣糸９の所定位置にオモリ６ａ及び固定軸材１が後付け固定される。
【００２３】
（２）実施形態２
図９〜図１３は実施形態２の釣具用固定軸材及び釣具付き固定軸材で、図９は固定軸と釣糸を通した釣具の斜視図、図１０は(イ）が通孔の一端口へ小径軸部側から挿入し、拡径部がその一端口に係止された説明断面図、(ロ)が(イ)の小径軸部先端部分を引っ張って大径部を通孔内に導いた説明断面図、(ハ)が(ロ)の引張りを解除して大径部を通孔の孔壁に密着一体化させた説明断面図、図１１は図９,図１０のウキで割り溝を通る面での概略縦断面図、図１２は図１１に代わる他態様のウキの縦断面図、図１３は図９のウキに代えて別態様のウキにした釣具付き固定軸材の斜視図である。尚、図１０のウキは簡略図示する。
【００２４】
固定軸材１は実施形態１のものと同様で、その説明を省く。実施形態１と同一符号は同一又は相当部分を示す。
釣具付き固定軸材に係る釣具６は、図９〜図１１のようなウキ６ｂに適用する。ウキ６ｂには、本体主部６Ｍに通孔６０を形成し、且つ該本体主部６Ｍの外周面６３から該通孔６０に達する割り溝６２が設けられる。
【００２５】
ウキ６ｂは、図９,図１０のごとく本体主部６Ｍに縦通する通孔６０を形成し、孔長Ｌ６を有する本体主部６Ｍの外周面６３から該通孔６０に達する平面視半径方向の割り溝６２が設けられた卵形ウキ６ｂである。図１１のような中空卵形樹脂成形品の内部に浮力調整用錘を内蔵したウキ６ｂである。詳しくは、図１１のごとく卵形した本体主部６Ｍに、その縦軸中央を縦通する通孔６０が設けられる。本体主部６Ｍの周方向の一箇所に外周面６３から通孔６０に至る縦割り状の割り溝６２がスリット状に形成される。浮き本体は半球状の上碗部６５ａと下碗部６５ｂと調整錘６６とからなる。上碗部６５ａ,下碗部６５ｂは樹脂成形品(例えばＡＢＳ樹脂成形品)で、両者の結合で、軸中心に通孔６０が設けられる中空卵状となる。上碗部６５ａと下碗部６５ｂは半球状碗部であるが、それぞれ中心部に通孔用孔壁６１をつくる管状部６７が起立し、且つスリット状の割り溝６２が入っている。両者の接合部分を超音波溶着等で結合させて密封空間の中空部Ｓが在るウキ６ｂとする。図１１のごとく、上碗部６５ａの下縁接合部分は下碗部６５ｂのものより小さくして嵌合一体化を図る。調整錘６６は、平面視Ｃ字状の金属製柱状体で、Ｃ字状の切欠部６６ａが割り溝６２を跨ぐようにして下碗部６５ｂに接着固定され、上碗部６５ａと下碗部６５ｂの結合に先立って中空部Ｓ内に収納される。
【００２６】
さらに、ウキ６ｂの孔径Ｄは通常、図１０に示すように通孔６０の全域で同じ寸法になるが、本実施形態のウキ６ｂには、通孔６０を形成する管状孔壁６１に段部が設けられる。ウキ６ｂの竿側の一端面６４ａ側、さらに釣針側の他端面６４ｂ側に段部を設け、通孔６０の中央部の孔径Ｄよりも大きな孔径Ｄ１,Ｄ２を有する開口部とする(図１１)。本体主部６Ｍを縦通する通孔６０は、中央部の孔径Ｄよりも、一端面６４ａ側の孔径Ｄ１や他端面６４ｂ側の孔径Ｄ２が大きくなっており、中央部の孔径が最小孔径Ｄとなる。ただ、孔径Ｄ１や孔径Ｄ２が通孔６０中央部の孔径Ｄよりも僅かに大きいだけにとどまる。孔径Ｄ１,Ｄ２は大径部４の軸外径ｄ４よりも小さい。通孔６０の一端口６０ａから前記小径軸部２を挿入して通孔他端口６０ｂから小径軸部２の先端部分２１突き出す状態を見れば、実施形態１と同様、図９,図１０(イ)のごとく通孔６０の孔長Ｌ６よりも軸長Ｌ２が長い細長の軸状小径軸部２の形成を必要とする。孔長Ｌ６は孔径Ｄの孔長と孔径Ｄ１,孔径Ｄ２の孔長との和になる。通孔６０の孔長Ｌ６は図１１のごとく卵形ウキ６ｂの全長になる。ウキ６ｂの孔径Ｄが通孔６０の全域で同じになる場合も、当然、通孔６０の孔長Ｌ６は卵形ウキ６ｂの全長になる。
【００２７】
一方、図１２のように他端面６４ｂ側の孔径Ｄ２が、通孔６０中央部の孔径Ｄよりも大きく、さらに大径部４の軸外径ｄ４よりも大きい場合、通孔６０の孔長Ｌ６は卵形ウキ６ｂで一端口６０ａから他端口６０ｂの孔径Ｄ２が広がる地点までの長さになる。通孔６０の孔長Ｌ６は、図１２で孔径Ｄ２の孔長を除いた孔径Ｄと孔径Ｄ１の両孔長を足した長さになる。孔径Ｄ２が大径部４の軸外径ｄ４よりも大きければ、大きな孔径Ｄ２を有する開口部に指等を突っ込み、通孔６０の他端口６０ｂから突き出す小径軸部２の先端部分２１を引っ張ることができるからである。
また、図示を省略するが、さらに孔径Ｄ１が大径部４の軸外径ｄ４よりも大きくなれば、通孔６０の孔長Ｌ６は、図１２で孔径Ｄがつくる孔長だけの長さになる。通孔６０の一端口６０ａから小径軸部２を挿通すると、大径部４が孔径Ｄ１を通過し、該大径部４が通孔６０中央部の孔径Ｄの部位で係止されるからである。
【００２８】
ところで、オモリ６ａの場合と同様、ウキ６ｂも図９〜図１２のウキ６ｂに限らず、例えば図１３のような他態様品とすることができる。図１３のウキ６ｂは半球状上碗部６５ａの開口碗面を平板部６５ａ１で塞ぐ中空半球状体で、該平板部の中心部に通孔用孔壁６１をつくる管状部(図示せず)が起立し、且つ半球状上碗部６５ａの外周面６３から通孔６０に達する割り溝６２が形成される。すなわち、本体主部６Ｍに通孔６０を形成し、且つ該本体主部６Ｍの外周面６３から該通孔６０に達する割り溝６２が設けられる。
【００２９】
次に、図１の固定軸材１とウキ６ｂを用いて、固定軸材及び釣具付き固定軸材の一使用法について説明する。
釣糸９に所望のウキ６ｂを取付けたい場合、実施形態１と同様、まずラインの所定位置で、釣糸９を割り溝６２から通孔６０へと誘導し、釣糸９がウキ６ｂの通孔６０を縦通するようにする(図９のイ)。次いで、通孔６０内の釣糸９を、割り溝６２が在る位置と反対側の孔壁６１へ寄せた状態下、竿側上方地点へ固定軸材１を持っていきその小径軸部２を下側にして、図示のごとくウキ６ｂに係る通孔６０の一端口６０ａへ小径軸部２側からを挿入する。固定軸材１は、通孔６０の孔径よりも径が大きい拡径部３の地点で係止されるが、小径軸部２が孔径よりも細く且つその軸長が通孔６０の孔長よりも長いため、その挿入によって、通孔６０の他端口６０ｂから小径軸部２の先端部分２１が突き出す(図１０のイ)。
【００３０】
続いて、図１０のロの白抜き矢印のごとく、前記通孔６０の他端口６０ｂから突き出す小径軸部２の先端部分２１を掴んで引っ張る。該先端部分２１の引っ張りによって、拡径部３,大径部４が伸長すると同時にこれらの外径を細くして通孔６０内へと引き込まれる(図１０のロ)。通孔６０の他端口６０ｂから突き出す小径軸部２の先端部分２１を引っ張ることにより、大径部４が弾性変形してその外径ｄ４が小さくなって通孔６０内へと導かれる。
その後、ウキ６ｂの一端面６４ａから大径部４の一部しか顔を出さないところまで、小径軸部２を引っ張り、そこで、先端部分２１への引張力を解除する。該引張力の解除により、固定軸材１が弾性復元力で元の形状に復元しようとし、その大径部４が通孔６０の孔壁６１に密着一体化する。
かくのごとくして、釣糸９の所定位置にウキ６ｂ及び固定軸材１が後付け固定される。他の構成は、実施形態１と同様でその説明を省く。同一符号は同一又は相当部分を示す。
【００３１】
（３）効果
このように構成した固定軸材及び釣具付き固定軸材は、大径部４と細くて長い軸状小径軸部２とを備え、且つ大径部４が弾性変形材料で造られる軸状体にして、釣具６に設けられた通孔６０の一端口６０ａへ小径軸部２側から挿入し、該通孔６０の他端口６０ｂから突き出す小径軸部２の先端部分２１を引っ張ることにより、大径部４を弾性変形させその軸外径ｄ４を小さくして通孔６０内に導くと共に弾性復元力で大径部４を通孔６０の孔壁６１に密着一体化させることができるので、固定軸材１と、公知の図１のオモリ６ａや図９のウキ６ｂ等の割り溝６２付き釣具６とを、釣糸９へ完全後付けできる。
【００３２】
図１５のように予め筒状弾性体ｒｂを釣糸９に挿通しなければならない煩わしさがない。両サイドにツノｓｍを設ける特注釣具６が要求されることもない。また、図１４の樹脂製ヨウジｐｋ等はラインを傷つける問題があるが、本固定軸材１は小径軸部２の先端部分２１を引っ張ることにより、弾性変形させその軸外径ｄ４を小さくして通孔６０内に導かれる大径部４の弾性復元力で通孔６０の孔壁６１に密着一体化するので、ラインを傷つけることが全くない。
ここで、樹脂製ヨウジｐｋをゴム材料のような弾性変形材料に変更することも考えられる。しかし、そのようなヨウジｐｋを図１４の矢印のように通孔６０へ差し込んでも、通孔６０の孔径に一致するヨウジｐｋの軸径部分で詰まってしまう。引っ張る場合と反対の押し込む場合は、弾性材料のヨウジｐｋが孔壁６１に当接すると、そこでストップして後方の大きな軸径部位が押し込む力に押し潰されて逆に軸径が益々大きくなって詰まってしまい、ストッパ機能を発揮しえない。一方、本固定軸材１は通孔６０一端口６０ａ側から小径軸部２側を遊挿し、通孔他端口６０ｂから突き出す小径軸部２の先端部分２１を引っ張ることにより、大径部４を弾性変形させその軸外径ｄ４を小さくさせるので、通孔６０内に円滑に導くことができる。大径部４を難なく通孔６０内に入り込ませることができる。そうして、大径部４の必要長さ分が通孔６０内に入った後、引っ張る力を解除すると、大径部４は弾性復元力でもって孔壁６１に密着する。大径部４の軸径は通孔６０の孔径よりも元々大きいので、完全弾性復元出来ずに残留応力が発生し、通孔６０壁への大径部４の密着力を高める。極めて合理的で理にかなった固定軸材１になっている。
【００３３】
さらに、小径軸部２と、該小径軸部２から拡径部３を介して又はそのまま延設される前記大径部４と、を具備し、且つこれらが全て一の均質な弾性変形材料で造られれば、低コストに製造でき、また前述の大径部４を弾性変形させその軸外径を容易に小さくできる。弾性変形材料がゴム材料であれば、ゴムの有する粘り強く粘着性を有するその特徴が、大径部４を該通孔６０の孔壁６１に密着一体化させるのにより活かされ優れた固定軸材１になる。加えて、大径部４が実施形態のごとく横断面円形の円柱部であると、割り溝６２の区域を除いた通孔６０の孔壁６１の全てに大径部４が当接するので、密着一体化の威力が増す。
【００３４】
また、釣具付き固定軸材に係る釣具６が、本体主部６Ｍに通孔６０を形成し、且つ該本体主部６Ｍの外周面６３から該通孔６０に達する割り溝６２が設けられる一方、固定軸材１が通孔６０の孔径Ｄよりも外径ｄ２が小さく且つ該通孔６０の孔長Ｌ６よりも軸長Ｌ２が長い細長の軸状小径軸部２を形成すると、通孔６０の一端口６０ａ側から小径軸部２側を遊挿して通孔６０の他端口６０ｂから小径軸部２の先端部分２１を難なく突き出させることができる。そして、その先端部分２１を引っ張ることにより、大径部４を弾性変形させその軸外径ｄ４を小さくして通孔６０内へ簡単に導くことができる。通孔６０内へと導いた大径部４は、その後、前記引っ張りの解除によって弾性復元力で該通孔６０の孔壁６１に速やかに密着一体化することとなる。
【００３５】
割り溝６２を利用して図１や図９のごとく釣具６に釣糸９を通してから、釣具６へ上述の如く固定軸材１を密着一体化すれば、釣具６へ完全後付けで釣具６,固定軸材１を取付けることができる。上述のごとく釣具６への組付け作業はいたって簡単である。しかも、釣糸９に釣具６,固定軸材１が組み付けられれば、脱落するようなことは起こらない。釣具６に固定軸材１が一旦組み付けられれば、元の大径部４の軸径は通孔６０の孔径よりも大きいので、弾性復元力に残留応力が発生し、通孔６０の孔壁６１への大径部４の密着一体化を強力なものとする。図１４のような摩擦による一体化では海水に濡れると、摩擦抵抗が落ち脱落し易くなるが、専ら残留応力によって釣具６と固定軸材１との一体化を図っているのでそうした不具合は起こらない。
【００３６】
その一方で、取外しも、例えば図４(ハ)の状態から小径軸部２と大径部４の基端側４２とをそれぞれ両手に持って引っ張れば、大径部４の軸径が小さくなるので、釣具６を容易に固定軸材１から外すことができる。ストッパ部５を設ければ、更に容易になる。所望の釣具６との交換も円滑になし得る。短時間交換できる。
加えて、図１４の樹脂製ヨウジｐｋでは釣糸９の太さに制限があって、太くなると係止固定が難しくなっていたが、本発明の固定軸材１は釣糸９の太さに制限がなく適用範囲が広い。小径軸部２を引っ張ることにより軸外径ｄ４を細くして大径部４を通孔６０内へ導き、その後、引っ張りを止めることで大径部４の軸外径が元に戻ろうとする復元力で、固定軸材１が釣具６に一体化するので、太い釣糸９でも同じように一体化できる。
かくのごとく、固定軸材及び釣具付き固定軸材は、適用範囲が広く、且つ上述した数々の優れた効果を発揮し、実用的でこれまでにない画期的な発明品になっている。
【００３７】
尚、本発明においては前記実施形態に示すものに限られず、目的,用途に応じて本発明の範囲で種々変更できる。固定軸材１,小径軸部２,拡径部３,大径部４,ストッパ部５,釣具６,通孔６０,孔壁６１,割り溝６２等の形状,大きさ,個数,材質等は用途に合わせて適宜選択できる。実施形態の釣具６はオモリ６ａとウキ６ｂについて説明したが、これにとどまらず種々の釣具６に適用できる。
【符号の説明】
【００３８】
１            釣具用固定軸材（固定軸材）
２            小径軸部
２１          先端部分
３            拡径部
４            大径部
６            釣具
６Ｍ          本体主部
６０          通孔
６０ａ        一端口
６０ｂ        他端口
６１          孔壁
６２          割り溝
６３          外周面
ｄ２、ｄ４      軸外径
Ｄ            通孔の孔径（径）
Ｌ２、Ｌ４      軸長
Ｌ６            孔長
【図１】
2012170384.tif 000003
【図２】
2012170384.tif 000004
【図３】
2012170384.tif 000005
【図４】
2012170384.tif 000006
【図５】
2012170384.tif 000007
【図６】
2012170384.tif 000008
【図７】
2012170384.tif 000009
【図８】
2012170384.tif 000010
【図９】
2012170384.tif 000011
【図１０】
2012170384.tif 000012
【図１１】
2012170384.tif 000013
【図１２】
2012170384.tif 000014
【図１３】
2012170384.tif 000015
【図１４】
2012170384.tif 000016
【図１５】
2012170384.tif 000017